(57)【要約】【課題】一対の挟持金具における挟持部の挟持力が優れ、屋根上搭載機器の取付け作業の簡略化と屋根上搭載機器に対する歪み発生をなくすことができる屋根上搭載機器の取付け金具を提供する。【解決手段】一対の挟持金具２で金属屋根におけるハゼ締め部ｂの根本首部ｃを両側から挟むようにした屋根上搭載機器の取付け金具１であって、前記挟持金具２の挟持面１１を垂直面に形成し、この挟持面１１の複数箇所に前方へ突出する垂直の突部１１ａを突設し、前記両挟持金具２における突部１１ａで前記屋根上の有頭状部材や金属屋根におけるハゼ締め部ｂの根本首部ｃを両側の同位置で挟持する。【選択図】図１
2014098275.tif 000002
【特許請求の範囲】
【請求項１】
対峙させた左右一対の挟持金具を横締めボルトで結合し、この横締めボルトを締め付けることによって、両挟持金具の下部に設けた挟持部で、屋根上の有頭状部材や金属屋根におけるハゼ締め部の首部を両側から挟むようにした屋根上搭載機器の取付け金具において、前記挟持金具に設けた挟持部の挟持面を、屋根上の有頭状部材や金属屋根におけるハゼ締め部の長さ方向に沿って長い垂直面に形成し、前記挟持面の長さ方向に沿った複数箇所の位置に、前方へ突出する突部を突設し、両挟持金具の突部によって前記屋根上の有頭状部材や金属屋根におけるハゼ締め部の首部を両側の同位置で挟持するようにしたことを特徴とする屋根上搭載機器の取付け金具。
【請求項２】
上記挟持面に突設した突部が、挟持面を形成する挟持板の一部を前面側に向けて膨出させることによって形成されていることを特徴とする請求項１に記載の屋根上搭載機器の取付け金具。
【請求項３】
上記挟持面に突設した突部が、挟持面の長さ方向の両端部と途中の位置に設けられていることを特徴とする請求項１又は２に記載の屋根上搭載機器の取付け金具。
【請求項４】
上記挟持面の長さ方向の両端部に位置する突部が、挟持金具の一部を構成する両側側板の前縁下部を挟持面に対して前方に突出させることによって形成されていることを特徴とする請求項１乃至３の何れかに記載の屋根上搭載機器の取付け金具。
【発明の詳細な説明】
【技術分野】
【０００１】
この発明は、建物の屋根上に設けた有頭状部材や、金属屋根におけるハゼ締め部を利用して固定し、前記屋根上に各種屋根上搭載機器を取付けるために使用する取付け金具に関する。
【背景技術】
【０００２】
例えば、金属屋根の屋根上に、太陽電池モジュールのような屋根上搭載機器を搭載する場合、金属屋根のハゼ締め部に対して複数の取付け金具を固定し、この取付け金具の上面に機器の架台を載置し、取付け金具の上面に突設させた機器取付けボルトにナットを螺締めすることで、取付け金具と機器の架台を締結する方法が採用されている。
【０００３】
ところで、折板屋根のハゼ締め部に取付け金具を固定する方式の一つとして、左右一対の挟持金具を水平の横締めボルトとナットで結合し、この横締めボルトとナットを締め付けることによって、両挟持金具の下部に設けた挟持部で、屋根上の有頭状部材や金属屋根におけるハゼ締め部の根本首部を両側から挟んで固定する横締め方式がある。
【０００４】
従来から用いられている横締め方式の取付け金具は、左右で一対となる挟持金具が、上板の下部で内側縁の部分にハゼ締め部を挟持するための挟持部を設けて側面視コ字状に形成され、一方挟持金具における上板の上面に器機取付けボルトを起立状に取付け、両挟持金具を屋根上に載置してハゼ締め部を挟むように対峙させ、両挟持金具を横方向に貫通する横締めボルトにナットを螺合し、このナットを締め付けて両挟持金具を引き寄せることにより、両挟持金具の挟持部でハゼ締め部の根本首部を両側から挟んで固定する構造になっている（例えば、特許文献１参照）。
【０００５】
このような横締め方式の取付け金具において、ハゼ締め部に対する取付け金具の固定強度は、両挟持部のハゼ締め部を両側から挟む挟持力によって得られることになるが、特許文献１で示されている取付け金具のように、挟持部の挟持面全体が平滑な平坦面になっていると、挟持面はハゼ締め部に対して面接触となり、このため、挟持力が挟持面の全体に分散することで低下し、面方向に沿ってハゼ締め部の長さ方向や上方への滑りが生じやすくなり、必要とする十分な固定強度を得るのが困難であるという問題がある。
【０００６】
また、強固な固定強度を得るために横締めボルトとナットを過度に締め付けると、両挟持金具の横締めボルト貫通部分が過剰に引き寄せられることで撓もうとし、その結果、両挟持金具の上板が上方に向けて変形し、この上面に立設した器機取付けボルトの位置や向きが変動することで、取付け金具上に対する屋根上搭載機器との位置合わせ作業が困難になり、また、上板が上方に向けて変形して上面の平面度が低下すると、載置した屋根上搭載機器の支持が不安定となり、屋根上搭載機器を固定する際に歪みが発生するという問題が生じることになる。
【０００７】
このような問題を解決するため、挟持部の挟持面を、ハゼ締め部の長さ方向に沿って円弧状の波形に形成するか、ハゼ締め部の上下方向に山形となる屈曲面に形成し、両挟持部でハゼ締め部を挟持したとき、ハゼ締め部も波形や山形に折り曲げ変形させ、ハゼ締め部の長さ方向や上方への移動が生じないようにせんとする横締め方式の取付け金具が提案されている（例えば、特許文献２参照）。
【先行技術文献】
【特許文献】
【０００８】
【特許文献１】特開２０１２−１２２２４０号公報
【特許文献２】特開２０１１−０１７１７５号公報
【発明の概要】
【発明が解決しようとする課題】
【０００９】
ところで、金属屋根のハゼ締め部は、金属板が重なる根本首部の上部に巻き締め部を有し、前記根本首部を波形や山形に折り曲げるのが困難な構成になっており、このため、上記特許文献２で示した横締め方式の取付け金具のように、ハゼ締め部を波形や山形に折り曲げて挟持するような構造は、両側から挟むことでハゼ締め部を折り曲げる作業に困難性を伴い、特に、ハゼ締め部を有する金属屋根に用いた金属板が硬質や厚肉であると、それを変形させるために強力な挟持力が必要になり、また、強固な挟持力を得るために取付け金具を必要以上に頑丈なものにしなければならず、このため、取付け金具の材料コストがかかることになり、現実的及び実用的に問題がある。
【００１０】
また、ハゼ締め部を波形や山形に折り曲げる構造は、どうしても過度に締め付けることになり、両挟持金具の変形を原因とする特許文献１と同様の不都合が生じると共に、前記折り曲げは強制的にハゼ締め部の根本首部に損傷を生じさせるのと同じようなことになり、この折り曲げ部分が金属屋根の防水性を低下させるという問題がある。
【００１１】
そこで、この発明の課題は、横締め方式の取付け金具において、ハゼ締め部に変形を生じさせることなく強固な挟持力を得ることができ、横締めボルトとこれに螺合したナットを過度に締め付ける必要性をなくし、屋根上搭載機器の取付け作業の簡略化と屋根上搭載機器に対する歪み発生をなくすことができる屋根上搭載機器の取付け金具を提供することにある。
【課題を解決するための手段】
【００１２】
上記のような課題を解決するため、この発明は、対峙させた左右一対の挟持金具を横締めボルトで結合し、この横締めボルトを締め付けることによって、両挟持金具の下部に設けた挟持部で、屋根上の有頭状部材や金属屋根におけるハゼ締め部の首部を両側から挟むようにした屋根上搭載機器の取付け金具において、前記挟持金具に設けた挟持部の挟持面を、屋根上の有頭状部材や金属屋根におけるハゼ締め部の長さ方向に沿って長い垂直面に形成し、前記挟持面の長さ方向に沿った複数箇所の位置に、前方へ突出する突部を突設し、両挟持金具の突部によって前記屋根上の有頭状部材や金属屋根におけるハゼ締め部の根本首部を両側の同位置で挟持するようにしたものである。
【００１３】
上記挟持面に突設した突部が、挟持面を形成する挟持板の一部を前面側に向けて膨出させることによって形成されている構造とすることができる。
【００１４】
上記挟持面に突設した突部が、挟持面の長さ方向の両端部と途中の位置に設けられているようにしてもよい。
【００１５】
上記挟持面の長さ方向の両端部に位置する突部が、挟持金具の一部を構成する両側側板の前縁下部を挟持面に対して前方に突出させることによって形成されているようにすることができる。
【００１６】
ここで、一対となる挟持金具は、共に等しい構造を有し、互いの前面を対峙させた配置で使用するものであり、この挟持金具は、上板と、前記上板の下部後側に位置する後板と、前記上板の下部両側に位置する一対の側板と、前記後板と側板の下端で囲まれた部分に位置する底板と、一対の側板間で前側縁間の上部位置に架設された結合用板とからなり、前記上板の前側縁に相手挟持金具の上板に重なるように延出する延長板が設けられ、前記結合用板の途中に横締めボルトの挿通孔が設けられている。
【００１７】
上記挟持金具は、両側に位置する両側板の前側縁の途中にハゼ締め部の頭部を逃がすための切欠きが設けられ、両側板の前記切欠きよりも下部の少し前面側に向けて突出形状となる前端縁間に挟持板が設けられ、この挟持板の前面が垂直となる挟持面になっている。
【００１８】
上記した挟持金具の挟持板は、底板の前側縁に帯状となるよう連ねて設けられた部分を、上方へ垂直に起立するよう折り曲げることによって形成され、例えば、この挟持板の前面である挟持面に突部を設けるには、挟持板を形成する金属板の一部を背面側から打ち出して挟持面に膨出させることにより形成すればよく、このような打ち出し構造の突部としては、上下方向に長く垂直で先が尖り形状となる突部、上下方向に傾斜して長く先が尖り形状となる突部、円錐形や半球状に突出する突部等を選択して採用することができる。
【００１９】
また、挟持金具の延長板は、上板の前縁で巾方向の半分の片側に設け、一対の挟持金具を対峙させた接近状態で、延長板は相手挟持金具の上板の下に重なるよう、上板に対してその板厚分だけ下側に段付きの状態で設けられ、対峙させた両挟持金具の対峙方向に沿った接近又は離反する方向の移動を誘導するようになっている。
【００２０】
上記一対の挟持金具は、互いに結合したとき両者の上板間の中央部分で、機器取付けボルトの軸部を保持し、この機器取付けボルトの頭部を横締めボルトの軸部で支持することにより、機器取付けボルトを起立配置するようになっている。
【発明の効果】
【００２１】
この発明によると、横締め方式の取付け金具において、両挟持金具に設けた挟持部の挟持面を垂直面に形成し、前記挟持面の複数箇所の位置に突部を突設し、この突部で前記屋根上の有頭状部材や金属屋根におけるハゼ締め部における根本首部の両側同位置を挟持するようにしたので、両挟持金具を締め付けてハゼ締め部を挟持するとき、挟持力が複数の突部の部分に集中し、ハゼ締め部に対して滑りのない強固な挟持力が得られることで、金属屋根のハゼ締め部に取付け金具を強固に固定することができる。
【００２２】
また、複数の突部が金属屋根のハゼ締め部に対して両側から等しい位置を挟むので、ハゼ締め部に変形や損傷を生じさせることがなく、金属屋根の防水性低下の発生がない。
【００２３】
更に、挟持面に設けた突部によって、ハゼ締め部に対して強固な挟持力が得られるので、両挟持金具を過度に締め付ける必要がなく、過度な締め付けによる両挟持金具の変形発生を防ぐことで、両挟持金具における上板の平面状態に保つことができ、そのため、屋根上搭載機器を平面で支持することで載置状態が安定すると共に、屋根上搭載機器をボルト、ナットで締め付けて固定する際に、屋根上搭載機器に歪みを生じさせることがない。
【図面の簡単な説明】
【００２４】
【図１】この発明に係る屋根上搭載機器の取付け金具を示す分解斜視図
【図２】この発明の取付け金具に用いる挟持金具の拡大した縦断側面図
【図３】図２の矢印ａ−ａに沿う挟持金具の横断平面図
【図４】図２の矢印ｂ−ｂに沿う挟持金具の横断平面図
【図５】この発明の取付け金具に用いる挟持金具の拡大した正面図
【図６】この発明の取付け金具に用いる挟持金具の拡大した背面図
【図７】（ａ）はこの発明の取付け金具における結合用板を示す前面側から見た斜視図、（ｂ）は同じく結合用板を示す背面側から見た斜視図
【図８】この発明の取付け金具を金属屋根のハゼ締め部に固定するための仮挟持状態を示す縦断側面図
【図９】この発明の取付け金具を一枚の金属板から折り曲げ加工する例を示す挟持金具の展開した平面図
【発明を実施するための形態】
【００２５】
以下、この発明の実施の形態を添付図面に基づいて説明する。
【００２６】
図１と図８のように、この発明の取付け金具１は、両側に対峙させた状態で金属屋根ａのハゼ締め部ｂを両側から挟む左右一対の挟持金具２と、両挟持金具２を結合して締め付けることにより、ハゼ締め部ｂの根本首部ｃに両挟持金具２を固定する横締めボルト３及びナット４と、結合した両挟持金具２間の上部に起立配置する機器取付けボルト５によって構成されている。
【００２７】
上記した一対の挟持金具２は共に等しい構造を有し、その前面側を対向させて対峙させた状態で横締めボルト３及びナット４で結合して使用するものであり、前記挟持金具２は、ハゼ締め部ｂの長さ方向に沿って長い平面長方形の上板６と、前記上板６の下部両端側に位置して対向する一対の側板７、７と、前記上板６の下部後側に位置する後板８と、前記後板８と側板７、７の下端で囲まれた部分に位置する底板９と、一対の側板７、７間で前側縁間の上部位置に架設された結合用板１０とからなり、この挟持金具２の前面下部がハゼ締め部ｂの根本首部ｃを挟むための挟持面１１に形成され、前記上板６の前側縁で一端側に偏った位置に、相手挟持金具の上板６に重なるように延出する矩形状の延長板１２が設けられている。
【００２８】
上記挟持金具２の一対となる側板７、７は、その前側縁で上下の途中位置にハゼ締め部ｂの頭部ｄを逃がすために円弧状の切欠き１３が設けられ、この両側板７、７の前側縁で切欠き１３よりも下部の前縁端が少し前方へ突出し、前記両側板７、７間で前記切欠き１３よりも下部の前縁端間に挟持面１１が形成され、この挟持面１１を形成する挟持板１４の前面で長さ方向に沿った複数箇所の位置に、前方へ突出する突部１１ａが突設され、両挟持金具２の前記突部１１ａでハゼ締め部ｂにおける根本首部ｃを両側の同位置から挟持するようになっている。
【００２９】
図面に一例として示した突部１１ａは、挟持板１４に用いた金属板の一部を背面側から打ち出して挟持面１１から前方に膨出させ、平面Ｕ字状やＶ字状の先端が尖り状となるような形状に形成され、例えば、挟持面１１の長さ方向の両端部と途中の複数位置に設けられている。
【００３０】
上記突部１１ａは、図示の場合、挟持板１４の上下高さの全長において上下端が同一形状となるものを示したが、この突部１１ａの変形例として、挟持板１４の上端において突出量が最も多く、下端に行くに従い漸次突出量が少なくなるよう先端が上下方向の傾斜形状となる形状に形成してもよく、また、このような打ち出しによる形成とは別に、先端が尖った形状の別の成形材を挟持板１４に対して溶接して設けることも可能であり、何れの場合も、突部１１ａを設ける数や位置に関しては図示例に限るものではなく、適宜増やしたり選択することができる。
【００３１】
図示省略したが、上記挟持面１１の両端位置に設ける打ち出し構造の突部１１ａの他の例としては、上下方向に傾斜して長く先が尖り形状となる突部、円錐形や半球状に突出する突部等を選択して採用することができ、更に、突部１１ａの別の例として、挟持金具２の一部を構成する両側板７、７の前縁で、この側板７、７に設けた切欠き１３よりも下部の前縁端を、挟持板１４の挟持面１１に対して前方に所定長さだけ突出させることによって形成することができる。
【００３２】
上記挟持金具２の結合用板１０は、一対の側板７、７間で前側縁の上部位置に架設され、長さ方向の中間位置に横締めボルト３の挿通孔１５が設けられ、この結合用板１０の上縁に上部ストッパー１６と下縁に下部ストッパー１７がそれぞれ相手挟持金具２側に向けて前方に突出するように設けられている。
【００３３】
図2乃至図４と図７のように、上記結合用板１０は、その上面と上板６の下面との間に延長板１２の挿入隙間を確保した位置に架設され、横締めボルト３の挿通孔１５を設けた途中の位置に、相手挟持金具２と反対側に凹入し、結合した両挟持金具２の上板６上に起立配置する機器取付けボルト５の頭部５ａが収まる空間を確保する凹入部１８が形成され、この凹入部１８の上縁に上部ストッパー１６と下縁に下部ストッパー１７が設けられている。
【００３４】
上記両挟持金具２の挟持面１１に設けた突部１１ａが屋根上の有頭状部材や金属屋根におけるハゼ締め部ｂの根本首部ｃを適正に挟持した状態で、上部ストッパー１６同士及び下部ストッパー１７同士が互いに当接するよう、前記上部ストッパー１６及び下部ストッパー１７の突出長さは、図２に示すように、挟持面１１における挟持板１４の前面に対して少し前方に突出した配置となり、図７のように、上部ストッパー１６は、機器取付けボルト５の頭部５ａに対して外接するよう中間位置に設けた前広がり状の切欠き１９によって二分されている。
【００３５】
上記結合用板１０の後面で挿通孔１５の周囲に複数の突起２０が設けられ、横締めボルト３の頭部３ａがこの突起２０で囲まれた部分に係合状態で収まることにより、頭部３ａの周囲と突起２０の係合で回り止め状態が得られるようにし、ナット４の締め付け操作が円滑に行えるようになっている。
【００３６】
上記挟持金具２の上板６に対して設けた延長板１２は、図１のように、一対の挟持金具２において、前後方向の中心線を挟んで左右片側の位置に、相手挟持金具２に向けて突出するよう設けられ、両挟持金具２を対峙させた状態で、延長板１２は相手挟持金具２の上板６の下に重なるよう、上板６に対してその板厚分だけ下側に段付きの状態で設けられ、この延長板１２を相手挟持金具２の下に重ねて両挟持金具２を対峙させれば、両挟持金具２を上下及び巾方向に結合すると同時に、対峙方向に沿った接近離反動を誘導することになる。
【００３７】
なお、上板６の前側縁で巾方向の中央位置には、機器取付けボルト５の軸部５ｂを保持する半円の切り欠き２１が設けられ、また、図示の場合、挟持金具２の下部は、金属屋根ａの傾斜に合わせて前側に向けて上り傾斜状としたが、金属屋根ａの条件に合わせて挟持金具２の下部を水平に形成してもよい。
【００３８】
また、金属屋根ａの場合において、取付け金具１を取付ける図示例のハゼ締め部ｂは一例であり、立平ぶきの立てハゼだけでなく蟻掛ぶきの蟻ハゼであってもよい。
【００３９】
図示の場合、挟持金具２は、所定の強度が得られる厚みを有する一枚の金属板から折り曲げ加工することにより組み立て、加工コストの低減を図ることができるようにした例を示し、この場合、前記上板６と後板８は組み立てた挟持金具２における巾方向の中心線に沿って両側に二分割され、分割上板６ａ、６ａと分割後板８ａ、８ａとなり、一枚の金属板を打ち抜く加工工程時に、突部１１ａ及び必要な部分に切り欠きや突起、曲げ形状を付与することができることになる。
【００４０】
図９は、一枚の金属板を打ち抜いた折り曲げ加工前の挟持金具２の展開図を示し、所定間隔で両側対称の配置となる一対の矩形状側板７、７を、上部の結合用板１０と下部の挟持板１４で接続し、結合用板１０の上下に上部ストッパー１６及び下部ストッパー１７連成し、側板７、７の内側縁で結合用板１０と挟持板１４の間に切欠き１３を設け、前記両側板７、７の上縁に矩形状の分割上板６ａ、６ａを連ねて設け、両側板７、７の外側縁に下部が狭巾となる分割後板８ａ、８ａを連成し、前記横長の挟持板１４と矩形状の底板９は連続した一枚板とし、一方分割上板２ａの上部に位置する上側縁に延長板１２が設けられ、挟持板１４に突部１１ａが打ち出し加工されている。
【００４１】
挟持金具２の折り曲げ加工は、結合用板１０の上部ストッパー１６及び下部ストッパー１７を前方へ向くよう直角に折り曲げ、結合用板１０と挟持板１４に対して両側の側板７、７を後方へ直角に折り曲げ、両側板７、７に対して分割上板６ａと分割後板８ａをそれぞれ内側へ直角に折り曲げ、更に、挟持板１４に対して底板９を後方へ直角に折り曲げ、前記分割上板６ａ、６ａ同士と分割後板８ａ、８ａ同士を突き合わせて上板６、後板８とし、両側板７、７及び後板８の下端部と底板９の周縁を当接させることにより行い、図１に示すような挟持金具２を組み立てることができる。
【００４２】
上記両分割上板６ａ、６ａの互いに突き合わせた内側縁、分割上板６ａの外側端と分割後板８ａの上端の突き合わせ部分、側板７及び後板８の下端と底板９の側縁の突き合わせ部分は、単に当接させただけでもよいが、この当接部分を溶接により固定して強度向上を図るようにしてもよく、また、底板９の前側縁に位置する挟持板１４は、両端が両側板７、７に達する長さを有し、その前面である挟持面１１が垂直となるように形成され、更に、後板８は分割後板８ａ、８ａによって巾方向の中央部に下部広がりの窓孔２２を形成し、この窓孔２２の部分から横締めボルト３及びナット４の締め付け作業が行えるようにしている。
【００４３】
この発明の取付け金具１は、上記のような構成であり、次に、この取付け金具１を金属屋根ａにおけるハゼ締め部ｂに対して固定する取付け方法を説明する。
【００４４】
図８のように、一対の挟持金具２を前端側が対向するよう対峙させ、延長板１２を相手上板６の下に挿入して接近させた状態で、一方結合用板１０の挿通孔１５から他方結合用板１０の挿通孔１５に横締めボルト３を挿通し、この横締めボルト３にワッシャとスプリングワッシャ２３を挿入してナット４を螺合し、一対の挟持金具２を仮結合して取付け金具１を組み立てる。
【００４５】
上記した組み立て時に、頭部３ａを下にした機器取付けボルト５を両挟持金具２の上板６間に位置させ、接近させた上板６の切り欠き２１で軸部５ｂを保持することにより、上板６の上面に起立するように取付ける。この機器取付けボルト５は、その頭部５ａが横締めボルト３の軸部３ｂで落下しないように支持され、頭部５ａの外周は上部ストッパー１６に設けた前広がりとなる切欠き１９内に回り止め状に収まる。
【００４６】
上記のように、両挟持金具２を横締めボルト３とナット４で結合して取付け金具１を仮結合状態にしておけば、金属屋根ａ上での作業能率の向上が図れることになる。
【００４７】
仮結合した取付け金具１を金属屋根ａにおけるハゼ締め部ｂの直上に臨ませ、両挟持金具２の挟持面１１間をハゼ締め部ｂに上部から押込み、ハゼ締め部ｂに対して被せるようにし、両挟持金具２の底板９を金属屋根ａの上面に当接させた仮取付け状態とする。
【００４８】
次に、横締めボルト３のナット４を締め付け、両挟持金具２を引き寄せて接近させると、図８のように、両者の挟持面１１に設けた突部１１ａがハゼ締め部ｂの根本首部ｃを両側から挟んだ仮挟持状態になる。
【００４９】
なお、上記横締めボルト３は、結合用板１０に設けた突起２０に頭部３ａの外周が係合することで回り止めとなり、共回りの発生がないのでナット４の締め付け作業が円滑に行えることになる。
【００５０】
図８の仮挟持状態から上記横締めボルト３とナット４を更に締め付けよると、両挟持金具２が引き寄せられて同図における挟持面１１が互いに接近し、この挟持面１１の突部１１ａでハゼ締め部ｂの根本首部ｃを両側から挟み込んで密着した本挟持状態（図示省略）となり、このような上記横締めボルト３とナット４の締め付けによるハゼ締め部ｂの本挟持状態において、図８のように開いた位置関係にあった結合用板１０の下部ストッパー１７は、挟持面１１の突部１１ａによってハゼ締め部ｂの根本首部ｃを適正な挟持に達した時点で相手下部ストッパー１７と互いに当接し、これと同時に上部ストッパー１６も相手上部ストッパー１６と互いに当接し、これによって、横締めボルト３に対するナット４の締め付けに大きな抵抗が生じることで、適正な挟持が得られたことを知ることができ、この時点でナット４の締め付けを停止させ、両挟持金具２の過度な締め付けの発生を防止するとにより、両挟持金具２の変形発生を防ぐことができるようにしている。
【００５１】
上記のように、上部ストッパー１６と下部ストッパー１７によって、両挟持金具２に対する過剰締め付けの発生を防ぎ、両挟持金具２の挟持面１１に設けた突部１１ａでハゼ締め部ｂの根本首部ｃを両側から適正な挟持力で挟むことで、ハゼ締め部ｂに対する取付け金具１の本固定状態が得られ、このようにして、ハゼ締め部ｂの長さ方向の複数箇所に取付け金具１を固定した状態とし、屋根上搭載機器の架台を取付け金具１上に臨ませ、この架台に設けてあるボルト孔を機器取付けボルト５の軸部５ｂに挿入することで、取付け金具１の上面がフラットな上板６の上に架台を載置し、複数の取付け金具１で架台を支持する。
【００５２】
両挟持金具２の突部１１ａは、ハゼ締め部ｂの根本首部ｃに対して両側から等しい位置を挟むので、ハゼ締め部ｂの根本首部ｃを変形や損傷させることがなく、しかも、ハゼ締め部ｂの根本首部ｃを両側から線接触状や点接触状に挟持する構造とすれば、両挟持金具２を締め付けてハゼ締め部ｂを挟持するとき、挟持力が複数設けた突部１１ａの部分に集中し、これにより、強固な挟持力が得られることで、ハゼ締め部ｂの長さ方向や上下方向への滑り発生がなく、金属屋根ａのハゼ締め部ｂに対して取付け金具１を強固に固定することができ、重量のある屋根上搭載機器の支持が可能になる。
【００５３】
この後、機器取付けボルト５の軸部５ｂに上からナットを螺合して締め付け、取付け金具１に対して架台を固定すればよく、機器取付けボルト５は頭部５ａが上部ストッパー１６の切り欠き１９に収まることで回り止めとなり、ナットの締め付け作業が円滑に行え、前記取付け金具１と架台を介して金属屋根ａ上に、例えば、太陽電池モジュールのような屋根上搭載機器を取付けることができる。
【００５４】
上記金属屋根ａのハゼ締め部ｂに対する取付け金具１の固定状態において、挟持金具２は、金属板を用いた側板７、７の途中に切り欠き１３を設け、この切り欠き１３の下部に挟持面１１が位置しているので、側板７、７は細くなった部分でその下部が挟持方向に対して弾性を有することになり、挟持面１１の突部１１ａは、ハゼ締め部ｂの根本首部ｃを適正な力で挟持した状態でハゼ締め部ｂを弾力的に挟持することができ、これにより、緩みの発生をなくして所定の挟持力を長期にわたって維持することができる。
【符号の説明】
【００５５】
１        取付け金具
２        挟持金具
３        横締めボルト
４        ナット
５        機器取付けボルト
６        上板
７        側板
８        後板
９        底板
１０      結合用板
１１      挟持面
１１ａ    突部
１２      延長板
１３      切欠き
１４      挟持板
１５      挿通孔
１６      上部ストッパー
１７      下部ストッパー
１８      凹入部
１９      切欠き
２０      突起
２１      切欠き
２２      窓孔
２３      ワッシャ
ａ        金属屋根
ｂ        ハゼ締め部
ｃ        根本首部
ｄ        頭部
【図１】
2014098275.tif 000003
【図２】
2014098275.tif 000004
【図３】
2014098275.tif 000005
【図４】
2014098275.tif 000006
【図５】
2014098275.tif 000007
【図６】
2014098275.tif 000008
【図７】
2014098275.tif 000009
【図８】
2014098275.tif 000010
【図９】
2014098275.tif 000011